(57)【要約】      （修正有）【課題】所望するレイアウトで画像を配置することができるテンプレートを複雑な作業を必要とせずに手軽に作成することのできる画像処理装置を提供する。【解決手段】画像を嵌め込む画像嵌込領域が設定されたテンプレートを編集可能に構成された画像処理装置であって、画像嵌込領域を画定する境界上の少なくとも一点の座標を変更する座標変換手段を備え、該座標変換手段による座標の変換に伴って、前記画像嵌込領域の境界の位置が変更されるように構成されていることを特徴とする。【選択図】図１
2006080989.tif 000002
【特許請求の範囲】
【請求項１】
画像を嵌め込む画像嵌込領域が設定されたレイヤーの単層構造、又は積層構造からなるテンプレートを所望のレイアウトに作成可能に構成された画像処理装置であって、画像嵌込領域を画定する境界上の少なくとも一点の座標を任意の座標に変換する座標変換手段を備え、該座標変換手段による座標の変換に伴って、前記画像嵌込領域の境界の位置が変更されるように構成されていることを特徴とする画像処理装置。
【請求項２】
前記画像嵌込領域の一部を指示することで該画像嵌込領域を選択可能に構成されると共に、該選択された画像嵌込領域の境界全体をテンプレート上の任意の位置に移動可能に構成された指示手段を更に備え、画像嵌込領域の移動に伴って、該画像嵌込領域の座標が前記任意の位置に対応する座標に変換されて前記指示手段が座標変換手段として機能するように構成されている請求項１記載の画像処理装置。
【請求項３】
画像嵌込領域に関する座標を表示可能に構成されると共に、任意の座標を入力可能に構成された座標入力表示部を更に備え、該座標入力表示部に入力した座標に対応して画像嵌込領域の境界の位置が変更されるように構成され、該座標入力表示部が座標変換手段として機能するように構成されている請求項１又は２記載の画像処理装置。
【請求項４】
境界の位置が変更された画像嵌込領域に対応して画像が嵌め込まれるように構成されている請求項１乃至３の何れかに記載の画像処理装置。
【発明の詳細な説明】
【技術分野】
【０００１】
本発明は、画像を嵌め込む画像嵌込領域が設定されたテンプレートを作成可能に構成された画像処理装置に関する。
【背景技術】
【０００２】
近年、デジタル化が進み、写真処理分野においてもデジタル画像処理が行われ高品質なプリントが提供されつつある。かかる画像処理は、画像処理装置により行われ、デジタルカメラで撮影した画像や写真フィルムから読み込んだ画像に対する装飾処理や、文字情報を付加する情報付加処理などがある。
【０００３】
これらの画像処理について説明すると、前記画像処理装置は、前記画像を嵌め込み可能な画像嵌込領域が設定されたテンプレートを複数種類備えており、該画像嵌込領域に画像を嵌め込む（重ね合わせる）ことで、当該画像をテンプレートで装飾（合成処理）するようになっている。
【０００４】
また、前記テンプレートには、所定領域内に所望する文字情報等を入力できるものもあり、その文字情報を画像としてテンプレートの画像嵌込領域に嵌め込むことで、文字情報付きの画像にすることができるようになっている。すなわち、該テンプレートは、入力された文字についても画像として取り扱われ、前記画像と同様に予め設定した画像嵌込領域に文字画像が嵌め込まれることで、画像と文字画像とが一体的になるようになっている。このように装飾や文字情報の付加が施された画像（合成処理済みの画像）は、プリンタや現像処理装置等によって出力される。
【発明の開示】
【発明が解決しようとする課題】
【０００５】
ところで、所望するレイアウトのテンプレートを作成するには、専門的で高度な技術を要し、合成画像を作成する作業の一貫として容易に行うことができなかった。そのため、従来の画像処理装置は、使用者の好みに応じたテンプレートの作り込みを行うことができず、予め設定されたテンプレートの画像嵌込領域に画像を嵌め込んだ合成画像（既定のレイアウトの合成画像）しか作成することができなかった。即ち、従来の画像処理装置は、予め設定されたテンプレートと画像とを組み合わせることしかできず、各個人に好みに応じた画像を提供することができなかった。
【０００６】
その一方で、演算処理装置の低価格化及び高性能化が進み、一般家庭でも簡易な画像処理が日常的に行われる昨今において、画像を装飾するためのテンプレートのレイアウトに手軽に変更を加えることができ、独自性のあるレイアウトで画像を装飾できることが望まれつつある。
【０００７】
そこで、本発明は、斯かる実情に鑑み、所望するレイアウトで画像を配置することができるテンプレートを複雑な作業を必要とせずに手軽に作成することのできる画像処理装置を提供することを課題とする。
【課題を解決するための手段】
【０００８】
本発明に斯かる画像処理装置は、画像を嵌め込む画像嵌込領域が設定されたレイヤーの単層構造、又は積層構造からなるテンプレートを所望のレイアウトに作成可能に構成された画像処理装置であって、画像嵌込領域を画定する境界上の少なくとも一点の座標を任意の座標に変換する座標変換手段を備え、該座標変換手段による座標の変換に伴って、前記画像嵌込領域の境界の位置が変更されるように構成されていることを特徴とする。なお、ここで「作成」とは、所望する最終的なレイアウトにテンプレートを作り込むことを意味し、例えば、所定位置に画像嵌込領域が設定された一つ以上のレイヤーを選択して作成途中のテンプレートを一旦作成し、該テンプレートを最終的なレイアウトにすることや、一つ以上のレイヤーからなる予め設定されたテンプレートに変更を加えて新たなレイアウトにすることを含む概念であり、「画像」とは、デジタルカメラで撮影した画像や、スキャナーで読み込んだ画像等は勿論のこと、キーボード等の入力手段によって入力された文字等の画像を含む概念である。
【０００９】
上記構成の画像処理装置によれば、画像嵌込領域の境界上の少なくとも一点の座標を任意の座標に変換する座標変換手段を備え、座標変換手段による座標の変換に伴って、前記画像嵌込領域の境界の位置が変更されるように構成されているので、境界の位置変更に伴って、レイヤー毎に画像嵌込領域のサイズ、形状、配置を変更することができ、使用者の所望するレイアウト（配置、サイズ、形状）で画像を嵌め込むことのできるテンプレートを手軽に作成することができる。
【００１０】
本発明の一態様として、前記画像嵌込領域の一部を指示することで該画像嵌込領域を選択可能に構成されると共に、該選択された画像嵌込領域の境界全体をテンプレート上の任意の位置に移動可能に構成された指示手段を更に備え、画像嵌込領域の移動に伴って、該画像嵌込領域の座標が前記任意の位置に対応する座標に変換されて前記指示手段が座標変換手段として機能するように構成されてもよい。このようにすれば、画像嵌込領域を所望する位置に的確に配置することができる。
【００１１】
また、本発明の他態様として、画像嵌込領域に関する座標を表示可能に構成されると共に、任意の座標を入力可能に構成された座標入力表示部を更に備え、該座標入力表示部に入力した座標に対応して画像嵌込領域の境界の位置が変更されるように構成され、該座標入力表示部が座標変換手段として機能するように構成されてもよい。このようにすれば、座標入力表示部の表示で現実の画像嵌込領域に関する座標を確認した上で、該座標を変更することができ、例えば、画像嵌込領域が二つ以上設定されている場合には、各画像嵌込領域の座標を確認した上で、各画像嵌込領域の位置関係を適切なものに変更することができる。
【００１２】
さらに、境界の位置が変更された画像嵌込領域に対応して画像が嵌め込まれるように構成されてもよい。このようにすれば、好みに応じたテンプレートを手軽に作成できる上に、そのテンプレートと画像とを合成した合成画像を作成することができる。
【発明の効果】
【００１３】
本発明の画像処理装置によれば、所望するレイアウトで画像を配置することができるテンプレートを複雑な作業を必要とせずに手軽に作成することができるという優れた効果を奏し得る。
【発明を実施するための最良の形態】
【００１４】
以下、本発明の一実施形態に係る画像処理装置について、添付図面を参照しつつ説明する。
【００１５】
本実施形態に係る画像処理装置は、顧客からプリント等の出力サービスを受け付ける端末装置に一体的に構成されており、該端末装置は、受け付けた画像や編集等を行った画像等をプリントアウトする写真処理装置（インクジェット式のプリンタ、或いは露光・現像処理装置）に接続されている。
【００１６】
前記端末装置は、図１に示す如く、表示手段としてのモニタ１と、ＣＤ−ＲＯＭやメモリカード等の各種メディアＭに対してデータを読み書きするメディアドライブ２と、顧客が持ち込んだ写真フィルムから画像を読み取るフィルムスキャナ３と、システム全体の制御を行う主制御装置４とを備えている。
【００１７】
前記モニタ１には、ブラウン管ディスプレイや液晶ディスプレイを採用することができ、本実施形態においては、液晶カラーディスプレイが採用されている。該モニタ１は、写真フィルムやメディアＭから読み込んだ画像や、該画像を装飾するテンプレート、各種操作を行う操作画面（後述するメイン画面、テンプレート情報編集画面等）を表示するようになっている。本実施形態に係るモニタ１は、タッチパネル方法の入力が可能に構成されており、顧客の指や専用の入力ペン等を使用して画面に触れる（タッチする）ことで、当該注文に係る操作や、画像の選択、画像に対する編集等を可能にしている。
【００１８】
主制御装置４は、制御及び演算の主体であるＣＰＵ（図示しない）や、モニタ１への画像表示や顧客からの入力受付、画像処理（受け付けた画像の装飾）等のＧＵＩ（グラフィカル・ユーザ・インターフェース）を実現するプログラム（ソフトウェア）等が記憶（インストール）されたＲＯＭ（図示しない）、内部処理用のワークエリア等に使用されるＲＡＭ（図示しない）、及び各種外部装置（モニタ１、メディアドライブ２及びフィルムスキャナ３）を接続するＩ／Ｏインターフェイス（図示しない）等を備えている。
【００１９】
主制御装置４は、上述の如く、写真フィルム又はメディアＭから読み込んだ画像を装飾するためのテンプレートを作成（編集）できる画像処理装置として機能するように構成されている。また、該主制御装置４は、作成したテンプレートと使用者が選択した画像とを合成する画像合成装置としても機能するようになっている。
【００２０】
画像処理装置（主制御装置４）には、テンプレートを作成するためのレイヤーが設定（記憶）されている。前記レイヤーは、図２に示す如く、装飾用の図柄が施された装飾領域Ｌａと、写真フィルム等から読み込んだ画像Ｐを嵌め込むための画像嵌込領域Ｌｂと、文字を画像として嵌め込むための画像嵌込領域（文字画像嵌込領域）Ｌｃとが適宜組み合わされて構成されており、種々の形態のものが設定されている。前記画像嵌込領域Ｌｂは、透明領域として設定されており、装飾する画像ＰをテンプレートＴ（レイヤーＬ）の背面側に配置することで当該画像ＰがレイヤーＬ（テンプレートＴ）の画像嵌込領域Ｌｂから露呈し、テンプレートＴ（実質的には装飾領域Ｌａ）によって装飾された状態となるようになっている。
【００２１】
文字画像嵌込領域Ｌｃは、嵌め込まれる文字（文字のポイント数）よりも大きな領域であり、文字以外の部分が透明領域に設定されたり、文字以外の部分に背景として別の画像（図柄）を嵌め込むことができるようにされたりしている。つまり、前記画像嵌込領域Ｌｂ及び文字画像嵌込領域Ｌｃは、嵌め込まれる画像の対象を異にした画像嵌込領域である。
【００２２】
該レイヤーは、装飾領域Ｌａにおける画像Ｐ（図柄）及び図柄の配置が異なったものや、画像嵌込領域Ｌｂの数、配置、形状の異なったものが外部のパソコンにより作成され、メディアＭを介して当該端末装置に記憶されたものである。
【００２３】
該主制御装置４は、一つのレイヤーＬ自身で単層構造のテンプレートＴを作成したり、基本となるレイヤーＬに、所望する一つ以上のレイヤーＬを更に重ね合わせて積層構造のテンプレートＴを作成するようになっている。即ち、該主制御装置４は、予め設定された複数のレイヤーＬ，Ｌ…から所望するレイヤーＬを一つ以上選択できるように構成されており、該選択されたレイヤーＬの単層構造又は積層構造からなるテンプレートＴを形成できるようになっている。なお、図２においては、装飾する画像ＰにテンプレートＴを重ね合わせ、当該テンプレートＴの画像嵌込領域Ｌｂに画像Ｐを嵌め込んで合成画像を作成する際の概念を示している。
【００２４】
主制御装置４におけるテンプレートＴの作成機能について具体的に説明すると、初期状態において、モニタ１には、図３に示す如く、テンプレートＴの作成を実行させるテンプレート作成ボタン５ａ、作成されたテンプレートＴの記憶（保存）を実行させるテンプレート保存ボタン５ｂと、不必要になったテンプレートＴの削除を実行するテンプレート削除ボタン５ｃとが設定されたメイン画面５が表示されるようになっている。そして、メイン画面５のテンプレート作成ボタン５ａを操作すると、図４に示す如く、複数のレイヤーＬ，Ｌ…が並んで表示されるレイヤー選択画面６に切り替わるようになっている。レイヤー選択画面６には、複数のレイヤーＬ，Ｌ…が表示されるレイヤー表示部６０、表示されたレイヤーＬの全てを選択する全選択ボタン６１、選択されているレイヤーＬの全てに対して当該選択を解除するレイヤー選択解除ボタン６２、選択されたレイヤーＬをテンプレートＴの構成に決定するＯＫボタン６３等が設けられている。また、レイヤー選択画面６は、レイヤーＬ毎に選択できるようになっており、上述の如く、モニタ１ーにタッチパネル方式が採用されているので、レイヤー表示部６０内のレイヤーＬに指又は入力ペンを触れさせることで、該当するレイヤーＬが選択され、再度そのレイヤーＬに指又は入力ペンで触れることで選択が解除されるようになっている。なお、図４においては、矩形状の太線で包囲されているレイヤーＬが選択されている。
【００２５】
該主制御装置４は、レイヤー選択画面６において複数種類選択された場合に、それらが重ね合わされた状態となるように内部処理して記憶し、一つのレイヤーＬが選択された場合には、そのレイヤーＬを記憶するように構成されている。
【００２６】
そして、レイヤー選択画面６において、ＯＫボタン６３を操作すると、図５に示す如く、選択したレイヤーＬによって作成途中にあるテンプレートＴ’を表示すると共に該テンプレートＴ’に対して編集を行うテンプレート情報編集画面７に切り替わるようになっている。
【００２７】
該テンプレート情報編集画面７は、作成途中のテンプレートＴ’を表示するテンプレート表示部７ａと、選択されたレイヤーＬについての情報を表示する情報表示部７ｂと、レイヤーＬが複数選択されている場合に前後関係（重ね合わせ順序）を変更するための前面ボタン７ｃ及び背面ボタン７ｄと、作業を中止する中止ボタン７ｅ、作業完了を画定するＯＫボタン７ｆなどが設けられている。
【００２８】
前記情報表示部７ｂは、各レイヤーＬについての情報を表示するレイヤー情報ページ７０と、各レイヤーＬの画像嵌込領域Ｌｂについての情報を表示する画像嵌込領域情報ページ７１と、各レイヤーＬの文字画像嵌込領域Ｌｃについての情報を表示する文字画像嵌込領域情報ページ７２とが設けられており、ページ７０，７１，７２毎に設けられたタグ７３ａ，７３ｂ，７３ｃを選択することで、該当するページ７０，７１，７２がアクティブになって表示されるようになっている。
【００２９】
前記レイヤー情報ページ７０は、アクティブにするレイヤーＬを選択するレイヤー選択ボタン７４、テンプレート表示部７ａにおいて各レイヤーＬの表示と非表示とを切り替える表示／非表示切換チェックボックス７５、レイヤーＬの属性を設定する属性表示部７６、レイヤーＬについて情報（例えば、ファイル名）を表示するレイヤー情報表示部７７等が設けられている。
【００３０】
前記画像嵌込領域情報ページ７１は、図６に示す如く、レイヤーＬに設定された画像嵌込領域Ｌｂの情報（画像嵌込領域Ｌｂを画定するための情報である座標）を表示可能に構成されると共に、所望する座標を入力可能に構成された画像用座標入力表示部７８（座標入力表示部）と、該画像用座標入力表示部７８に表示された座標の位置を概略認識できるようにした座標認識部７９等が設けられている。また、レイヤーＬに複数の画像嵌込領域Ｌｂが設定されている場合に、アクティブにする画像嵌込領域Ｌｂを選択する画像嵌込領域選択ボタン８０が設けられている。
【００３１】
主制御装置４（画像処理装置）は、画像嵌込領域Ｌｂを画定する境界Ａ上の少なくとも一点の座標を任意の座標に変換する画像用座標変換手段（座標変換手段）を備え、該画像用座標変換手段で前記座標を変換（変更）することで画像嵌込領域Ｌｂの境界Ａの位置が変更されるように構成されている。
【００３２】
具体的に説明すると、画像嵌込領域情報ページ７１がアクティブになっている場合に、アクティブなレイヤーＬに対応した画像用座標入力表示部７８に所望する座標を入力することでアクティブな画像嵌込領域Ｌｂの境界Ａの位置を変更できるようになっており、画像用座標入力表示部７８が画像用座標変換手段として機能するようになっている。これにより、画像嵌込領域Ｌｂの境界Ａの位置を変更することで、該画像嵌込領域Ｌｂのサイズ、形状、配置を所望するものに変更できるようになっている。なお、本実施形態に係る端末装置には、キーボード等が設けられていないため、座標入力にはＧＵＩ（グラフィカル・ユーザー・インターフェイス）が用いられたり、画面に表示されたテンキー画面（図示しない）から座標入力するようになっている。
【００３３】
また、該画像嵌込領域情報ページ７１がアクティブになっている場合、モニタ１（テンプレート表示部７ａ）上に表示された画像嵌込領域Ｌｂの境界Ａを選択することで、その選択された頂点或いは辺がアクティブになり、所望する位置にドラッグアンドドロップすることで、座標位置が変更されて当該画像嵌込領域Ｌｂの境界Ａの位置が変更されるようにもなっており、前記画像用座標入力表示部７８とは別の座標変換手段として機能するようになっている。本実施形態においては、画像嵌込領域Ｌｂを画定する境界Ａ上の少なくとも一点（例えば、矩形状の領域である場合には、四つの頂点、及び四辺上の任意の一点）を選択（指示）することで、境界Ａ（その頂点或いは辺）がアクティブになり、ドラッグされた位置（座標上）に移動するようになっている。これによっても、画像嵌込領域Ｌｂの境界Ａの位置を変更することで、該画像嵌込領域Ｌｂのサイズ、形状、配置を所望するものに変更できるようになっている。
【００３４】
なお、本実施形態に係る端末装置は、画像嵌込領域Ｌｂを新たに設定できるようになっており、画像嵌込領域情報ページ７１には、新たな領域を画像嵌込領域Ｌｂに設定する新規作成ボタン８１が設けられている。該新規作成ボタン８１には、矩形状の領域に設定するための矩形領域設定ボタン８１ａと、多角形状の領域に設定するための多角領域設定ボタン８１ｂとが設けられている。前記矩形領域設定ボタン８１ａ及び多角領域設定ボタン８１ｂの何れも、指定する領域における頂点（矩形領域の場合は、対角に位置する二つの頂点、多角領域の場合は、各頂点）を指定することで、新規の画像嵌込領域Ｌｂが設定されるようになっている。
【００３５】
そして、新たに画像嵌込領域Ｌｂを設定した場合においても、画像嵌込領域情報ページ７１がアクティブになっている場合、画像用座標入力表示部７８に所望する座標を入力することができるようになっており、アクティブな画像嵌込領域Ｌｂの境界Ａの位置を変更できるようになっている。また、モニタ１（テンプレート表示部７ａ）上に表示された画像嵌込領域Ｌｂの境界Ａを選択することで、その選択された頂点或いは辺がアクティブになり、所望する位置にドラッグアンドドロップすることで、座標位置が変更されるようにもなっている。
【００３６】
テンプレート表示部７ａは、表示された作成途中のテンプレートＴ’の画像嵌込領域Ｌｂを指定してドラッグアンドドロップする（画像嵌込領域Ｌｂを画定する境界Ａ全体を移動させる）ことで、画像嵌込領域Ｌｂ全体を所望する位置（任意の位置）に移動できるようになっており、これに伴って、画像用座標入力表示部７８に表示される座標値も変換されるようになっている。即ち、本実施形態において、モニタ１にタッチパネル方式が採用されているため、テンプレート表示部７ａは、画像嵌込領域Ｌｂの一部を指示することで該画像嵌込領域Ｌａを選択可能に構成されると共に、該選択された画像嵌込領域Ｌｂの境界Ａ全体をテンプレートＴ’上の任意の位置に移動可能に構成された指示手段として機能し、さらに、該指示手段（テンプレート表示部７ａ）は、画像嵌込領域Ｌｂの移動に伴って、該画像嵌込領域の座標が前記任意の位置に対応する座標に変換される座標変換手段として機能するようになっている。
【００３７】
さらに、本実施形態に係る端末装置は、テンプレート情報編集画面７において、所定ドット毎に縦横格子状に設定された複数の線の交点をグリッドとして設定され、選択位置等がグリッドのみに限定されるグリッドモードを設定するグリッド設定ボタン８２が設けられており、各画像嵌込領域Ｌｂの変更を行うに際して所定ドット毎に移動、変形等を行えるようになっている。該グリッド設定ボタン８２は、グリッドモードの状態で操作すると、グリッドモードから通常モードに切り替わり、選択位置を任意の位置（実際には、１ドット或いは微小量）に移動させることができるようになっている。
【００３８】
前記文字画像嵌込領域情報ページ７２は、図７に示す如く、レイヤーＬに設定された文字画像嵌込領域Ｌｃの情報（文字画像嵌込領域Ｌｃを画定するための情報である座標）を表示可能に構成されると共に、所望する座標を入力可能に構成された文字画像用座標入力表示部８３（座標入力表示部）と、文字画像嵌込領域Ｌｃ内に画像Ｐとして表示される文字情報が表示される文字表示部８４等が設けられている。また、文字画像嵌込領域Ｌｃに表示する文字のフォントや、配置（右寄せ、左寄せ、センタリング等）、文字サイズを設定するための文字設定ボタン８５…が設けられると共に、レイヤーＬに複数の文字画像嵌込領域Ｌｃが設定されている場合に、アクティブにする文字画像嵌込領域Ｌｃを選択する文字画像嵌込領域選択ボタン８６が設けられている。
【００３９】
本実施形態に係る主制御装置４（画像処理装置）は、文字画像嵌込領域Ｌｃを画定する境界Ｂ上の少なくとも一点の座標を任意の座標に変換する文字画像用座標変換手段（座標変換手段）を備え、該文字画像用座標変換手段で前記座標を変換することで前記文字画像嵌込領域Ｌｃの境界Ｂの位置が変更されるように構成されている。
【００４０】
具体的に説明すると、画像用座標入力表示部７８と同様に、文字画像嵌込領域情報ページ７２がアクティブになっている場合に、文字画像用座標入力表示部８３に所望する座標を入力することでアクティブな文字画像嵌込領域Ｌｃの境界Ｂの位置を変更できるようになっており、文字画像用座標入力表示部８３が文字画像用座標変換手段として機能するようになっている。これにより、文字画像嵌込領域Ｌｃの境界Ｂの位置を変更することで、該文字画像嵌込領域Ｌｃのサイズ、形状、配置を所望するものに変更できるようになっている。なお、本実施形態に係る端末装置には、キーボード等が設けられていないため、座標入力にはＧＵＩ（グラフィカル、ユーザー、インターフェイス）が用いられたり、画面に表示されたテンキー画面から座標入力するようになっている。また、前記文字表示部８４にも、文字入力できるようになっており、文字表示部８４に入力した文字が画像Ｐとして文字画像嵌込領域Ｌｃ内に嵌め込まれるようになっている。該文字入力についても、ＧＵＩ（グラフィカル、ユーザー、インターフェイス）が用いられたり、画面に表示された文字キー画面から文字入力するようになっている。
【００４１】
また、該文字画像嵌込領域情報ページ７２がアクティブになっている場合、モニタ１（テンプレート表示部７ａ）上に表示された文字画像嵌込領域Ｌｃの境界Ｂを選択することで、その選択された頂点或いは辺がアクティブになり、所望する位置にドラッグアンドドロップすることで、座標位置が変更されるようにもなっており、前記文字画像用座標入力表示部８３とは別の文字画像用座標変換手段として機能するようになっている。本実施形態においては、文字画像嵌込領域Ｌｃを画定する境界Ｂ上の少なくとも一点（例えば、矩形状の領域である場合には、四つの頂点、及び四辺上の任意の一点）を選択することで、境界Ｂ（頂点或いは辺）がアクティブになり、ドラッグされた位置（座標上）に移動するようになっている。これによっても、文字画像嵌込領域Ｌｃの境界Ｂの位置を変更することで、該文字画像嵌込領域Ｌｃのサイズ、形状、配置を所望するものに変更できるようになっている。なお、本実施形態に係る端末装置は、文字画像嵌込領域Ｌｃを再設定できるようになっており、新たな領域を文字画像嵌込領域Ｌｃに設定する文字入力領域新規作成ボタン８７が設けられている。
【００４２】
該文字入力領域新規作成ボタン８７は、テンプレート表示部７ａ内におけるレイヤーＬ内において、二点を指示することで文字を配置する矩形状の領域が設定されるようになっている。そして、新たに文字画像嵌込領域Ｌｃを設定した場合においても、文字画像嵌込領域情報ページ７２がアクティブになっている場合、文字画像用座標入力表示部８３に所望する座標を入力することができるようになっており、アクティブな文字画像嵌込領域Ｌｃの境界Ｂの位置を変更できるようになっている。また、モニタ１（テンプレート表示部７ａ）上に表示された文字画像嵌込領域Ｌｃの境界Ｂを選択することで、その選択された頂点或いは辺がアクティブになり、所望する位置にドラッグアンドドロップすることで、座標位置が変更されるようにもなっている。
【００４３】
テンプレート表示部７ａは、表示された作成途中のテンプレートＴ’の文字画像嵌込領域Ｌｃを指定してドラッグアンドドロップすることで、文字画像嵌込領域Ｌｃを所望する位置に移動できるようになっており、これに伴って、文字画像用座標入力表示部８３に表示される座標値も変更されるようになっている。すなわち、文字画像嵌込領域Ｌｃを画定する境界Ｂ全体を移動させることで、境界Ｂの座標位置が変更されて文字画像嵌込領域Ｌｃ全体が移動することになるため、該テンプレート表示部７ａ自体も文字画像用座標変換手段として機能するようになっている。
【００４４】
そして、前記テンプレート情報編集画面７において、テンプレートＴを所望するレイアウトにすることができると、ＯＫボタン７ｆを操作することで、テンプレートＴの作成が完了し、当該テンプレートＴに関する各種情報（画像嵌込領域Ｌｂに関する情報（座標値等）、文字画像嵌込領域Ｌｃ（座標値等）、文字情報）と共に完成したテンプレートＴが画像Ｐとして記憶され、適宜使用できる状態となる。
【００４５】
当該テンプレートＴと読み込んだ画像Ｐとを合成させる場合には、予め合成させる画像Ｐを読み込んでおき、その状態で所望するテンプレートＴを読み込むと、主制御装置４の内部処置により、当該テンプレートＴの画像嵌込領域Ｌｂ内に対象の画像Ｐが嵌め込まれた合成画像となる。即ち、テンプレートＴの画像嵌込領域Ｌｂのサイズ、形状、及び配置に対応するように、予め読み込んだ画像Ｐのサイズが変更され、該サイズが変更された画像Ｐが画像嵌込領域Ｌｂの座標を基にして適正に位置に移動した上で、テンプレートＴと画像Ｐとが重ね合わせて適正な合成画像の画像データとして一次的に記憶された後、該画像データが出力データとしてプリンタに伝送され、プリンタから出力されるようになっている。
【００４６】
次に、上記端末装置でテンプレートＴを作成する作業について説明する。なお、以下の説明においては、一月毎のカレンダーのテンプレートＴを一例にして説明する。
【００４７】
まず、レイヤー選択画面６から所望する図柄のレイヤーＬと、所望する月のカレンダーを画像ＰとしたレイヤーＬとを選択する。そうすると、主制御装置４の内部処理により、レイヤーＬが重ね合わされた状態で一時的に記憶される。そして、そのレイヤーＬの組み合わせでよい場合には、ＯＫボタン７ｆを操作し、テンプレート情報編集画面７に切り替わることになる。
【００４８】
レイヤーＬの重ね合わされる順序が適正である場合には、次のステップ（画像嵌込領域Ｌｂ、文字画像嵌込領域Ｌｃの設定）を行い、レイヤーＬの重ね合わされる順序に誤りがある場合には、レイヤー情報ページ７０の前面ボタン７ｃ、背面ボタン７ｄを操作して、適正な順序に並び替える。この状態で、テンプレート表示部７ａには、レイヤーＬが適正な順序で重ね合わされた作成途中のテンプレートＴ’が表示されており、上述の手順により、画像嵌込領域Ｌｂのサイズ、配置、形状の変更を適宜行うと共に、文字を入力する場合には、文字画像嵌込領域Ｌｃに文字を入力してサイズ、配置、形状の変更を適宜行う。
【００４９】
そして、所望するレイアウトになった状態でテンプレート情報編集画面７のＯＫボタン７ｆを操作すると、画像嵌込領域Ｌｂのサイズ、配置、形状、及び文字画像嵌込領域Ｌｃのサイズ、配置、形状、文字情報等の各種情報が関連付けられたカレンダーのテンプレートＴとして記憶されることになる。
【００５０】
このような一連の作業で各種テンプレートＴを作成しておき、顧客から受け付けた画像Ｐと所望するテンプレートＴとを選択することで、独自のテンプレートＴと画像Ｐとが組み合わされた独自の合成画像がプリンタから出力されることになる。
【００５１】
以上のように、本実施形態に係る端末装置（画像処理装置）によれば、画像嵌込領域Ｌｂの境界Ａ上の少なくとも一点の座標を任意の座標に変換する画像用座標変換手段をレイヤーＬ毎に備え、レイヤーＬ毎に座標変換手段で座標を変換することで、各レイヤーＬの画像嵌込領域Ｌｂの境界Ａの位置が変更されるように構成されているので、境界Ａの位置変更に伴って、画像嵌込領域Ｌｂのサイズ、形状、配置を変更することができ、使用者の所望する配置、サイズ、形状で画像Ｐを嵌め込むことのできるテンプレートＴを手軽に作成することができる。
【００５２】
また、境界Ａの位置が変更された画像嵌込領域Ｌｂに対応して画像Ｐが嵌め込まれるように構成されているので、好みに応じたテンプレートＴを手軽に作成できる上に、そのテンプレートＴと画像Ｐとを合成した合成画像を作成することができる。
【００５３】
さらに、画像嵌込領域Ｌｂ（境界Ａ）に関する座標を画像用座標入力表示部７８（文字画像用座標入力表示部８３）で表示し、該画像用座標入力表示部７８（文字画像用座標入力表示部８３）に所望する座標を入力することで画像嵌込領域Ｌｂ（文字画像嵌込領域Ｌｃ）の境界Ａ（Ｂ）の位置を変更して画像嵌込領域Ｌｂ（文字画像嵌込領域Ｌｃ）のサイズ、位置、形状を変更させるようにしているので、画像用座標入力表示部７８（文字画像用座標入力表示部８３）の表示で現実の座標を確認した上で、該座標を適正に変更することができる。これにより、例えば、画像嵌込領域Ｌｂ（文字画像嵌込領域Ｌｃ）が二つ以上設定されている場合には、各画像嵌込領域Ｌｂ（文字画像嵌込領域Ｌｃ）の座標を確認した上で、各画像嵌込領域Ｌｂの位置関係を適切なものにすることができる。
【００５４】
また、画像嵌込領域Ｌｂの境界Ａを変更するに際して通常モードとグリッドモードとに切り替え可能としたので、グリッドモードにおいて画像嵌込領域Ｌｂを画定する境界Ａ（頂点を含む）を一定量毎に移動させることができ、精度の高い位置決めを行うことができる。
【００５５】
さらに、本実施形態に係る端末装置は、文字画像嵌込領域Ｌｃについても、前記画像嵌込領域Ｌｂと同様の操作で、境界Ｂの位置を変更できるように構成したので、画像Ｐに対する配置だけではなく、文字の配置についても好みにあったレイアウトのテンプレートＴを作成することができる。
【００５６】
さらに、モニタ１にタッチパネル方式を採用したので、作業に不慣れな人であっても容易に操作を行うことができる。また、該端末装置の操作を主としてＧＵＩで行うようにしたので、これによっても演算処理装置（コンピュータ）の操作を苦手とする人であっても、容易に操作を習得することができる。
【００５７】
尚、本発明の画像処理装置は、上記実施形態に限定されるものではなく、本発明の要旨を逸脱しない範囲内において種々変更を加え得ることは勿論である。
【００５８】
上記実施形態において、顧客からオーダーを受け付ける端末装置を画像処理装置としての機能を付加し、好みに応じたテンプレートＴを作成できるようにしたが、これに限定されるものではなく、画像処理装置を端末装置としてではなく独立した装置として設置するようにしても勿論よい。
【００５９】
上記実施実施形態において、テンプレートＴを作成するにあたり、モニタ１に表示される画面を適宜切り替えるようにしたが、これに限定されるものではなく、例えば、作業に応じた操作画面や作業画面をポップアップ表示し、並列に表示したり重ねて表示したりするようにしてもよい。
【００６０】
上記実施形態において、レイヤーＬを選択して使用者の好みに応じたテンプレートＴを作成するようにしたが、これに限定されるものではなく、例えば、複数種類のレイヤーＬ，Ｌ…を重ね合わせて作成された既定のテンプレートを複数種類記憶させておいてもよい。この場合、記憶されたテンプレートＴの中から編集を行うテンプレートＴを選択し、そのテンプレートＴを構成する各レイヤーＬを上記実施形態と同様にテンプレート情報編集画面７にて画像嵌込領域Ｌｂ（文字画像嵌込領域Ｌｃ）の変更（サイズ、形状、配置の変更）を行うようにすればよい。このようにしても、既定のテンプレートを基にして独自のレイアウトのテンプレートを新たに作成することができる。勿論、上記実施形態の如くレイヤーからテンプレートを作成できるようにすると共に。既定のテンプレートの画像嵌込領域のレイアウトを変更できるようにしてもよい。
【００６１】
また、上記実施形態において、作成したテンプレートＴと装飾の対象である画像Ｐとを画像処理装置（主制御装置４）の内部処理で合成し、モニタ１に表示することなくプリンタで出力させるようにしたが、これに限定されるものではなく、例えば、合成した画像Ｐをモニタ１に表示し、使用者が合成画像の状態を確認できるようにしても勿論よいし、該確認画面でテンプレートＴ（画像嵌込領域Ｌｂ）に対する画像Ｐ（例えば、写真の被写体）の配置を微調整できるようにしてもよい。この場合、モニタ１にはテンプレートＴと画像Ｐとを合成した状態で表示しておき、画像Ｐをドラッグアンドドロップすることで位置調整できるようにしたり、テンプレートＴの作成時と同様に、画像Ｐの座標を表示部にて表示し、該表示部に適宜数値を入力することでその数値に対応した位置（座標）に画像Ｐが移動したりするようにしてもよい。
【００６２】
上記実施形態において、レイヤーＬを重ね合わせてカレンダーのテンプレートＴを作成するようにしたが、テンプレートＴはカレンダーに限定されず、例えば、画像Ｐの周囲や一部を装飾する装飾フレームであってもよい。また、選択した一つのレイヤーＬ自体をテンプレートＴにしてもよいし、二つ以上のレイヤーＬを重ね合わせて一つのテンプレートＴにするようにしてもよい。そして、このように二つ以上のレイヤーＬを重ね合わせてテンプレートＴを形成する場合には、各レイヤーＬの画像嵌込領域Ｌｂのサイズ、配置、及び形状を変更できるように、テンプレート情報編集画面７のレイヤー情報ページ７０のレイヤー選択ボタン７４を操作してレイヤーＬ毎にアクティブな状態に切り替えることができるようにすればよい。
【図面の簡単な説明】
【００６３】
【図１】本発明の一実施形態に係る端末装置（画像処理装置）の全体斜視図を示す。
【図２】同実施形態に係る端末装置でテンプレートを作成する際、及びテンプレートと画像との合成画像を作成する際の概念図を示す。
【図３】同実施形態に係る端末装置のモニタに表示される操作画面の概略図であって、実行する作業を選択するためのメイン画面を示す。
【図４】同実施形態に係る端末装置のモニタに表示される操作画面の概略図であって、レイヤーを選択するためのレイヤー選択画面を示す。
【図５】同実施形態に係る端末装置のモニタに表示される操作画面の概略図であって、レイヤー情報ページをアクティブにした状態のテンプレート情報編集画面を示す。
【図６】同実施形態に係る端末装置のモニタに表示される操作画面の概略図であって、画像嵌込領域情報ページをアクティブにした状態のテンプレート情報編集画面を示す。
【図７】同実施形態に係る端末装置のモニタに表示される操作画面の概略図であって、文字画像嵌込領域情報ページをアクティブにした状態のテンプレート情報編集画面を示す。
【符号の説明】
【００６４】
１…モニタ、２…メディアドライブ、３…フィルムスキャナ、４…主制御装置、５ａ…テンプレート作成ボタン、５ｂ…テンプレート保存ボタン、５ｃ…テンプレート削除ボタン、５…メイン画面、６…レイヤー選択画面、７…テンプレート情報編集画面、７ａ…テンプレート表示部（指示手段：座標変換手段）、７ｂ…情報表示部、７ｃ…前面ボタン、７ｄ…背面ボタン、７ｅ…中止ボタン、７ｆ…ＯＫボタン、６０…レイヤー表示部、６１…全選択ボタン、６２…レイヤー選択解除ボタン、６３…ＯＫボタン、７０…レイヤー情報ページ、７１…画像嵌込領域情報ページ、７２…文字画像嵌込領域情報ページ、７３ａ，７３ｂ，７３ｃ…タグ、７４…レイヤー選択ボタン、７５…表示／非表示切換チェックボックス、７６…属性表示部、７７…レイヤー情報表示部、７８…画像用座標入力表示部（座標変換手段）、７９…座標認識部、８０…画像嵌込領域選択ボタン、８１…新規作成ボタン、８１ａ…矩形領域設定ボタン、８１ｂ…多角領域設定ボタン、８２…グリッド設定ボタン、８３…文字画像用座標入力表示部、８４…文字表示部、８５…文字設定ボタン、８６…文字画像嵌込領域選択ボタン、８７…文字入力領域新規作成ボタン、８７ａ…矩形領域設定ボタン、８７ｂ…多角領域設定ボタン、Ａ，Ｂ…境界、Ｌ…レイヤー、Ｌａ…装飾領域、Ｌｂ…画像嵌込領域、Ｌｃ…文字画像嵌込領域、Ｍ…メディア、Ｐ…画像、Ｔ，Ｔ’…テンプレート
【図１】
2006080989.tif 000003
【図２】
2006080989.tif 000004
【図３】
2006080989.tif 000005
【図４】
2006080989.tif 000006
【図５】
2006080989.tif 000007
【図６】
2006080989.tif 000008
【図７】
2006080989.tif 000009